(57)【特許請求の範囲】
【請求項１】
ＬＥＤを有する発光部を備え、商用電源からの交流電力を整流してこの発光部に供給する電源部と、電源部の出力電力を蓄電する電気二重層コンデンサと、上記商用電源が停電時にこの電気二重層コンデンサに蓄電された電荷を昇圧して上記発光部に供給しＬＥＤを発光させる昇圧回路とを備えた照明装置において、上記昇圧回路が作動する入力電圧の最低値を最低電圧として、上記電気二重層コンデンサに対し、上記昇圧回路への電力供給方向に対して順方向になるように複数個のダイオードを直列に接続し、電気二重層コンデンサから上記昇圧回路に電荷を供給する際に、この直列接続された複数個のダイオードの両端に分圧される電圧が上記最低電圧以上になるように設定したことを特徴とする照明装置。
【請求項２】
上記電気二重層コンデンサは１個であることを特徴とする請求項１に記載の照明装置。
【発明の詳細な説明】
【技術分野】
【０００１】
本発明は、外部の商用電源からの電力でＬＥＤを発光させ、外部電源の停電時には内蔵する電気二重層コンデンサに蓄えた電荷でＬＥＤを発光させる照明装置に関する。
【背景技術】
【０００２】
外部の商用電源から供給される電力によってＬＥＤなどの発光部を発光させる照明装置が広く知られている。それらの照明装置のうち、例えば浴室の天井に設置されるダウンライトの場合には、浴室に窓がなく、かつ、特に夜間に停電が発生すると、浴室内が真っ暗になり、入浴者が浴室から脱衣室へと移動して着衣して居間などに避難することが困難になる。
【０００３】
そのため、照明装置内に電気二重層コンデンサを設け、商用電源からの電力供給が継続している間に、この電気二重層コンデンサを充電しておき、停電が発生すると電気二重層コンデンサに蓄えていた電荷によってＬＥＤを発光させる照明装置が知られている（例えば、特許文献１参照）。
【先行技術文献】
【特許文献】
【０００４】
【特許文献１】特開２００７−１６５０１６号公報（段落［００１２］、［００２２］）
【発明の概要】
【発明が解決しようとする課題】
【０００５】
上記従来のものでは、電気二重層コンデンサに蓄えられた電荷を、ＬＥＤを点灯させるのに必要な電圧まで昇圧してＬＥＤに供給する必要がある。このような場合、昇圧回路が用いられるが、一般に、昇圧回路は入力電圧が０ボルトでは作動せず、所定の電圧以上の入力がなければ作動しない。そのため、電気二重層コンデンサに蓄えられた電荷を順次昇圧回路で昇圧させていくことによって電気二重層コンデンサの電圧が低下し、所定の電圧まで低下すると、電気二重層コンデンサ内にまだ電荷が残っている状態であっても、それ以上昇圧回路は作動することができなくなり、電気二重層コンデンサに残留する電荷が無駄になるという不具合が生じる。
【０００６】
なお、電気二重層コンデンサに抵抗を直列に接続して、その抵抗に分圧される電圧分で電気二重層コンデンサの電圧をかさ上げすることによって、電気二重層コンデンサに蓄えられている電荷を有効に利用することも考えられるが、電気二重層コンデンサの電荷が消費されるのに伴って抵抗を流れる電流が減少し、その結果、抵抗に分圧される電圧が低下することになるので、電気二重層コンデンサ内の電荷を十分に利用することができない。
【０００７】
また、電気二重層コンデンサの耐電圧は一般に低いので、抵抗を用いない場合には複数の電気二重層コンデンサを直列に接続して昇圧回路が作動できる電圧を出力できるようにする必要があるが、そのような構成では電気二重層コンデンサを複数使用することにより設置スペースが大きくなるいう不具合の他、直列接続のため、電気二重層コンデンサ全体の容量が減少してしまうという不具合が生じる。
【０００８】
そこで本発明は、上記の問題点に鑑み、停電時にＬＥＤを発光させるために電気二重層コンデンサに蓄えられた電荷を有効に利用することのできる照明装置を提供することを課題とする。
【課題を解決するための手段】
【０００９】
上記課題を解決するために本発明による照明装置は、ＬＥＤを有する発光部を備え、商用電源からの交流電力を整流してこの発光部に供給する電源部と、電源部の出力電力を蓄電する電気二重層コンデンサと、上記商用電源が停電時にこの電気二重層コンデンサに蓄電された電荷を昇圧して上記発光部に供給しＬＥＤを発光させる昇圧回路とを備えた照明装置において、上記昇圧回路が作動する入力電圧の最低値を最低電圧として、上記電気二重層コンデンサに対し、上記昇圧回路への電力供給方向に対して順方向になるように複数個のダイオードを直列に接続し、電気二重層コンデンサから上記昇圧回路に電荷を供給する際に、この直列接続された複数個のダイオードの両端に分圧される電圧が上記最低電圧以上になるように設定したことを特徴とする。
【００１０】
上記構成によれば、電気二重層コンデンサに充電されている電荷を昇圧回路に入力する際に、電気二重層コンデンサに直列に接続したダイオードの順方向電圧（Ｖｆ）分が電気二重層コンデンサの電圧をかさ上げして、電気二重層コンデンサの電圧がゼロに近づいても電気二重層コンデンサから昇圧回路に電力を供給し続けることができる。
【００１１】
なお、上記電気二重層コンデンサは１個であると、コンデンサの設置スペースを可及的に小さくすることができる。
【００１２】
また、上記ダイオードは複数のダイオードが直列に接続されていることにより、ダイオードの個数を適宜選択することによって、電気二重層コンデンサに対するかさ上げ量を調節するようにした。
【発明の効果】
【００１３】
以上の説明から明らかなように、本発明は、電気二重層コンデンサに蓄えられている電力を停電発生時にほぼ全て使用することができるので、少ない個数の電気二重層コンデンサでＬＥＤを長時間発光させ続けることができる。
【図面の簡単な説明】
【００１４】
【図１】本発明の一実施の形態の構成を示す図
【発明を実施するための形態】
【００１５】
図１を参照して、１は商用電源で有り、この商用電源１からの１００ボルトの交流電力が電源部２に入力される。この電源部２は１００ボルトの交流電力を、例えば３０ボルトの直流電力に整流してＬＥＤ発光部３に供給する。このＬＥＤ発光部３内には直列に接続された複数個のＬＥＤと、そのＬＥＤの直列回路の電流値を制御する回路とが内蔵されており、電源部２から３０ボルトの直流電力が入力されると、内蔵するＬＥＤが所定の明るさで発光するように構成されている。
【００１６】
上記商用電源１が停電した場合に、ＬＥＤ発光部３のＬＥＤの点灯を継続させるため、電気二重層コンデンサ６が設けられている。そして、この電気二重層コンデンサ６を充電するために、上記電源部２から出力される３０ボルトを所定の充電電圧に降圧するための降圧回路４を設けた。この降圧回路４は３０ボルトの直流電力が入力されると、８ボルトの直流電力に変換して出力するように構成されている。
【００１７】
本実施の形態では、電気二重層コンデンサ６は１個のみを使用する。一般に電気二重層コンデンサの定格電圧は２．７ボルト程度であるので、電気二重層コンデンサ６を充電するために直接８ボルトを印加すると、電気二重層コンデンサ６は破損する。そこで、充電時に順方向になるように複数のダイオード７１を電気二重層コンデンサ６に対して直列に接続した。
【００１８】
ダイオード１個の順方向電圧（Ｖｆ）は０．６ボルト程度であるので、ダイオード７１を９個のダイオードで構成すると、ダイオード７１全体の順方向電圧は５．４ボルトになり、降圧回路４から８ボルトの電圧が出力されても、電気二重層コンデンサ６には２．６ボルトしか印加されない。そのため、電気二重層コンデンサ６は破損することがない。
【００１９】
次に、停電が発生すると、リレーやトランジスタ等の開閉素子からなるスイッチ５１をオンにする。そして、電気二重層コンデンサ６に充電されている電荷を昇圧回路５で３０ボルトに昇圧して、ＬＥＤ発光部３に供給する。その結果、商用電源１が停電してもＬＥＤ発光部３は発光し続けることができる。
【００２０】
但し、昇圧回路５は入力電圧が３ボルト以下になると作動を停止する。そのため、定格電圧が２．７ボルトの電気二重層コンデンサ１個を昇圧回路５の入力部に接続しても、昇圧回路５は作動しない。
【００２１】
そこで、昇圧回路５への電力供給方向に対して順方向になるようにダイオード７２を直列に接続した。このダイオード７２は上記ダイオード７１と同じく９個のダイオードを直列に接続したもので構成すると、ダイオード７２の順方向電圧は上記と同様に５．４ボルトになり、電気二重層コンデンサ６が放電して電気二重層コンデンサ６の電圧が低下していっても、電気二重層コンデンサ６に充電された電荷のほとんどが昇圧回路５に流れ電気二重層コンデンサ６の電圧がほとんど０ボルトになっても、昇圧回路５には５．４ボルトの入力が確保されることになる。そのため、電気二重層コンデンサ６に充電された電荷は残すことなくほとんど全てを昇圧回路５に流すことができる。
【００２２】
なお、本発明は上記した形態に限定されるものではなく、本発明の要旨を逸脱しない範囲内において種々の変更を加えてもかまわない。
【符号の説明】
【００２３】
１ 商用電源
２ 電源部
３ 発光部
４ 降圧回路
５ 昇圧回路
６ 電気二重層コンデンサ
５１ スイッチ
７１ ダイオード
７２ ダイオード
【図１】
0006662506.tif 000002